(57)【要約】【課題】  付加的な担体を要せずに、側方へ光を放射する点灯手段を簡便かつ低廉に配置可能とするランプユニットを提案する。【解決手段】  ランプユニットの光は側方へ放射され、ＬＥＤ（１０，１１，１２，１３）は個別の支持金属板、導体フィルム、プリント基板等に配置しなければならない。よってＬＥＤ（１０，１１，１２，１３）の支持・固定は技術上困難で、コストも嵩む。本発明のランプユニットでは、付加的な支持部材を使用することなく、側方へ光を放つ点灯手段（１０，１１，１２，１３）が全反射面（１４）を備え、光線（Ｓ）は反射体（３）に向かって反射する。反射体（３）は光線（Ｓ）を光ディスク（２）の方向に反射する。全反射面（１４）は、光が任意方向で入射可能に配置される。付加的な担体は不要となる。本発明のランプユニットは、信号技術及び照明エンジニアリングの全分野で、特に自動車の車外バックミラー用として使用できる。
2005519809.tif 000002
【特許請求の範囲】
【請求項１】
自動車の車外バックミラー用補助ウィンカーとするランプユニットであって、少なくとも１個のＬＥＤとする点灯手段と、該点灯手段から発する光線を光ディスクの方向へ反射させる少なくとも１個の反射体とを備え、前記点灯手段（１０，１１，１２，１３；１０ａ；１０ｂ）は少なくとも１個の全反射面（１４；１４ａ；１４ｂ）を備え、該全反射面で光線が反射体（３）に向かって反射することを特徴とする、ランプユニット。
【請求項２】
前記全反射面（１４；１４ａ；１４ｂ）は前記点灯手段（１０，１１，１２，１３；１０ａ；１０ｂ）の軸線に対して傾斜して延在することを特徴とする、請求項１に記載のランプユニット。
【請求項３】
前記反射面（１４；１４ａ；１４ｂ）は反射層及び／又は反射材料から作製されることを特徴とする、請求項１又は２に記載のランプユニット。
【請求項４】
前記全反射面（１４ａ；１４ｂ）を平坦に形成したことを特徴とする、請求項１乃至３のいずれか１項に記載のランプユニット。
【請求項５】
前記全反射面（１４）は外方へ凸状に湾曲されていることを特徴とする、請求項１乃至３のいずれか１項に記載のランプユニット。
【請求項６】
前記全反射面（１４；１４ａ；１４ｂ）は前記点灯手段（１０，１１，１２，１３；１０ａ；１０ｂ）の高さの一部に亙って延在することを特徴とする、請求項１乃至５のいずれか１項に記載のランプユニット。
【請求項７】
前記全反射面（１４；１４ａ；１４ｂ）は前記点灯手段（１０，１１，１２，１３；１０ａ；１０ｂ）の軸線に対して直角に光線を反射させることを特徴とする、請求項１乃至６のいずれか１項に記載のランプユニット。
【請求項８】
前記点灯手段（１０，１１，１２，１３；１０ａ；１０ｂ）の外面（１６，１６ｂ）は、該外面を透過して前記全反射面（１４；１４ａ；１４ｂ）に反射する光線の領域内に屈折光学系（１８）を備えることを特徴とする、請求項１乃至７のいずれか１項に記載のランプユニット。
【請求項９】
前記屈折光学系（１８）をレンズによって形成することを特徴とする、請求項８に記載のランプユニット。
【請求項１０】
互いに鏡面対称として配置した２個の点灯手段（１０，１１，１２，１３；１０ａ；１０ｂ）を備え、これらの点灯手段は反対方向へ光を放射することを特徴とする、請求項１乃至９のいずれか１項に記載のランプユニット。
【請求項１１】
前記反射体（３）は少なくとも２個の並置した反射部分（２２）を備えることを特徴とする、請求項１乃至１０のいずれか１項に記載のランプユニット。
【請求項１２】
各反射部分（２２）は２個の互いに鏡面対称又は合同として配置した点灯手段（１０，１１，１２，１３；１０ａ；１０ｂ）を備えることを特徴とする、請求項１１に記載のランプユニット。
【発明の詳細な説明】
【技術分野】
【０００１】
本発明は、自動車の車外バックミラー用補助ウィンカーとするランプユニットに関し、特に、少なくとも１個のＬＥＤとする点灯手段と、点灯手段から発する光線を光ディスクの方向へ反射させる少なくとも１個の反射体とを備えるランプユニットに関するものである。
【背景技術】
【０００２】
光の側方放射に対して斜めに配置したＬＥＤを備えるランプユニットが公知である。これらのＬＥＤは、所謂、クリンチ、導体フィルム、プリント基板等の特別な金属支持体に固定される。このような担体を使用し、その上にＬＥＤを固定することは比較的労力を要し、高価である。
【発明の開示】
【発明が解決しようとする課題】
【０００３】
本発明の課題は、付加的な担体を要せずに、側方へ光を放射する点灯手段を簡便かつ低廉に配置可能とするランプユニットを提案することにある。
【課題を解決するための手段】
【０００４】
この課題を解決するため、本発明のランプユニットは、点灯手段が少なくとも１個の全反射面を備え、該全反射面で光線が反射体に向かって反射することを特徴とするものである。
【０００５】
点灯手段は全反射面を備えるため、この領域の光は外方へ到達しない。したがって、光が特に側方とする所望の方向に出射するように点灯手段を設置しなければならない。光線は反射体で光ディスクに向かって反射する。点灯手段を全反射面の為に正しく配置することにより、本発明によるランプユニットの投入部分に応じて光を任意の方向に入射することができる。点灯手段は傾けて設置されないため、付加的な金属部材，導体フィルム  、プリント基板等が不要となる。その結果、ランプユニットは簡便かつ低廉に作製可能となる。
【０００６】
本発明の更なる特徴については、従属請求項、詳細な説明及び図面に示したとおりである。
【発明を実施するための最良の形態】
【０００７】
以下、本発明を図示の実施形態について更に具体的に説明する。
【０００８】
図１は、ハウジング１を備えるランプユニットを示している。ハウジングの開口は光ディスク２によって覆われる。光ディスク２に離間して対向する反射体３をハウジング１内に備え，反射体の内側に個別の反射面５，６を備える。これらの反射面では点灯手段１０，１１，１２，１３から光ディスク２に向けた光線Ｓが反射する。ハウジング後壁７と反射体３との間に位置するプリント基板８は、点灯手段１０，１１，１２，１３及び抵抗９等とする他の電子部品を担持する。
【０００９】
点灯手段１０，１１，１２，１３は発光ダイオードであり、これらのＬＥＤはプリント基板８にはんだ付け、溶接又はその他の方法で固定される。ランプユニットは、互いに前後に離間した複数個の点灯手段１０，１１，１２，１３を備える。ランプユニットの形状に応じて点灯手段を別の配置に備えることも可能である。
【００１０】
以下、図２に示した反射体３に係る点灯手段の形成及び配置について説明する。他の点灯手段も同様に形成され、反射体３に相対して配置される。
【００１１】
ＬＥＤ１０の足部４は、プリント基板８の開口２０を通じて突出すると共に、はんだ付けによって（図示しない）コンダクタに連結するのが有利である。反射体３は１個の貫通開口２１を備え、この貫通開口を通じてＬＥＤ１０が突出する。ＬＥＤは長手方向に凸状として湾曲した端面１４を有し、この端面ではＬＥＤ１０から端面１４の方向に進む光線Ｓ１が反射する。そのため、端面１４の内側はミラーコーティングとすることができる。図２に示すように、端面１４は軸線方向の外側端部で鋭角に接続すると共に、軸線方向の内側端部ではシリンダの側面上に位置しうる外面１６に鈍角に接続する。この場合、ＬＥＤ１０は端面１４に向けた軸線方向で見て円形の輪郭を有する。端面１４は、ＬＥＤ１０の遊端１５からその高さの半分以上に亙って延在する。
【００１２】
端面１４に反射した光線Ｓ１は反対方向に偏向するため、外面１６を透過すると共に、外面に対して斜めに延在する反射面６に突き当たる。反射面は、反射体３の中心軸線に対して同軸的に延在する部分環上に位置する。反射面５，６を備える反射体３の部分２２は概ね放物線状として形成される。このように反射面６を形成することにより、光線Ｓ１は光ディスク２に対して概ね互いに平行に反射する。反射した光線Ｓ２は光ディスク２に対して概ね直角に突き当たる（図１）。
【００１３】
全反射を実現するため、ミラーコーティングの代わりにＬＥＤ１０の端面１４は内側に被層等を備えることができる。しかし、端面１４は全反射する材料からも作製可能であり、外面１６は透光性材料から形成される。
【００１４】
図１に示すように、反射体３は互いに一体化して形成した２個の同一とする反射部分２２から構成するのが有利である。其々の反射部分２２は、互いに離間して位置する２個の貫通開口２１を備え、各１個のＬＥＤ１０，１１，１２，１３が前記貫通開口から突出する。各反射部分２２の内部には両方のＬＥＤ１０，１１；１２，１３を互いに鏡面対称として配置されるため、全反射する端面１４は互いに対向する。その結果、ＬＥＤ１０，１１；１２，１３は反対方向に光を放射する。ＬＥＤ１０，１２から発した光線は反射面６に突き当たり、ＬＥＤ１１，１３から放たれた光線は反対側に傾斜した反射面５上に衝突する。
【００１５】
上述の構成とするため、光を側方へ放射するＬＥＤ１０，１１，１２，１３は傾斜して配置する必要はない。ＬＥＤ１０，１１，１２，１３については、付加的なプリント基板、補助金属部材等を省くことができる。ＬＥＤ１０，１１，１２，１３は通常のはんだ付けによってプリント基板８上に固定可能であるため、ランプユニットは簡便かつ低廉に作製可能となる。
【００１６】
図３に示すようにＬＥＤ１０ａを形成することも可能であり、全反射する端面１４ａは平坦に形成され、ＬＥＤ１０ａの長手方向軸線に対して直角に延在する。この場合、光線Ｓは、既出の実施形態とは異なり、互いに平行として端面１４ａで反射する。反射光線は反射面６ａで光ディスク２に向かって反射する。
【００１７】
図４に示す実施形態において、ＬＥＤ１０ｂは図３の実施例に対応して傾斜した端面１５ｂを備える。外面１５ｂは、端面１４ｂで全反射した光線ＳがＬＥＤから外方へ放出される領域内に屈折光学系を備える。光線Ｓは屈折光学系１８を通過する際に屈折し、反射面６ｂ上に入射する。他の実施形態と同様、反射面５ｂは光線Ｓの陰部分に位置する。反射面６ｂで反射した光線Ｓ２は、ランプユニットから光線を放射させる光ディスク２に衝突する。光線Ｓは、ＬＥＤ１０ｂから様々な角度で出射すると共に、互いに平行として反射面６ｂで反射する。光線Sが容易に散乱するように配置を整えることも可能である。
【００１８】
更に、図１〜４に示したＬＥＤを混合してランプユニットに備えることも可能である。図１及び図２に示すＬＥＤ１０では屈折光学系１８を備えることも可能である。ランプユニットは投入ケースに応じて最適に調整可能である。
【００１９】
ランプユニットは自動車の車外バックミラー用補助ウィンカーとして使用するのが有利であるが、自明のことながら信号技術及び照明エンジニアリングの全分野に投入可能である。
【図面の簡単な説明】
【００２０】
【図１】本発明によるランプユニットを破断して示す縦断面図である。
【図２】ＬＥＤを備えるランプユニットの一部分を拡大して示す説明図である。
【図３】図２に示したランプユニットを別の実施形態として示す説明図である。
【図４】図２に示したランプユニットを別の実施形態として示す説明図である。
【図１】
2005519809.tif 000003
【図２】
2005519809.tif 000004
【図３】
2005519809.tif 000005
【図４】
2005519809.tif 000006
【国際調査報告】
2005519809.tif 000007
2005519809.tif 000008
2005519809.tif 000009
2005519809.tif 000010